(57)【要約】【課題】周縁部の形状を工夫することで、顔面に対する周縁部の密着性を向上させ、含浸された液体の美容効果を長時間にわたって十分に発揮させることができるフェイスマスクを提供する。【解決手段】可撓性を有する平面状のシート体からなり、液体を含浸した状態で顔面に載置されるフェイスマスク１０の周縁部に、全周にわたって波状部分１を連続して形成した。波状部分１は、いずれも曲線で構成された凹部２及び凸部３からなる。フェイスマスク１０を液体を含浸した状態で顔面に載置した際に、周縁部における波状部分１の複数の凹部２及び凸部３が、互いに独立して面方向に移動し、波状部分１の全体が顔面の凹凸に追従して確実に密着する。使用中における液体の蒸発によって含水量が減少し、波状部分１の凹部２又は凸部３の一部に生じた剥がれが、隣接する凸部３又は凹部２に伝播し難く、周縁部の広い範囲にわたって波及することがない。【選択図】  図１
2015156996.tif 000002
【特許請求の範囲】
【請求項１】
可撓性を有する平面状のシート体からなり、液体を含浸した状態で顔面に載置されるフェイスマスクであって、周縁部の少なくとも一部に曲線で構成された波状部分を有するフェイスマスク。
【請求項２】
前記波状部分は、周縁部の全周にわたって連続して形成した請求項１に記載のフェイスマスク。
【請求項３】
前記波状部分は、折り線について非対称となるように形成した請求項１又は２に記載のフェイスマスク。
【発明の詳細な説明】
【技術分野】
【０００１】
この発明は、紙、織布又は不織布等の可撓性を有する平板状のシート体を顔面の形状に合わせて裁断したフェイスマスクであって、化粧水や美容液等の液体を含浸させた状態で顔面に載置して使用されるフェイスマスクに関する。
【背景技術】
【０００２】
従来、化粧水や美容液等の美容効果のある液体を顔面に塗布する際に、紙、織布又は不織布等の液体含浸性を有する素材からなるシート体のフェイスマスクが用いられる。フェイスマスクは、液体を含浸させた状態で顔面に載置される。
【０００３】
フェイスマスクを顔面に載置することで、フェイスマスクが含浸している化粧水等の液体を長時間にわたって顔面の皮膚に接触させることができ、液体の美容効果を十分に作用させることができるとされている。
【０００４】
しかし、フェイスマスクは、平面状のシート体であるため、３次元の曲面で構成されている顔面の全面に、完全に密着させることはできない。特に、フェイスマスクの周縁部は、部分的に顔面から浮き上がり易く、無理に顔面に密着させようとすると皺を生じる。
【０００５】
このため、従来のフェイスマスクでは、周縁部から内側に向かう切込線を形成し、周縁部を部分的に重ね合わせたり離間させたりすることで、皺を生じることなく顔面に密着させるようにしている（例えば、特許文献１参照。）。
【先行技術文献】
【特許文献】
【０００６】
【特許文献１】特開２００４−２６２９０１号公報
【発明の概要】
【発明が解決しようとする課題】
【０００７】
しかしながら、従来のフェイスマスクでは、使用中に含水量が減少するに従い、周縁部の重ね合わされた部分同士の密着性や顔面に対する密着性が徐々に失われて顔面から剥がれ易くなり、フェイスマスクに含浸された液体の美容効果を長時間にわたって十分に発揮させることができなくなる問題がある。
【０００８】
この発明の目的は、周縁部の形状を工夫することで、顔面に対する周縁部の密着性を向上させ、含浸された液体の美容効果を長時間にわたって十分に発揮させることができるフェイスマスクを提供することにある。
【課題を解決するための手段】
【０００９】
この発明のフェイスマスクは、可撓性を有する平面状のシート体からなり、液体を含浸した状態で顔面に載置されるフェイスマスクであって、周縁部の少なくとも一部に曲線で構成された波状部分を有する。
【００１０】
液体を含浸した状態で、３次元曲面で構成された顔面に載置された際に、周縁部における曲線で構成された波状部分の複数の凹凸が、互いに独立して面方向に移動し、波状部分の全体が顔面の凹凸に追従して確実に密着する。使用中における液体の蒸発によって含水量が減少し、波状部分の凹部又は凸部の一部に生じた剥がれが、隣接する凸部又は凹部に伝播し難く、周縁部が広い範囲にわたって顔面から剥がれることがない。
【００１１】
この構成において、波状部分を周縁部の全周に形成することが好ましい。周縁部の全周にわたって顔面への密着性を向上させることができる。
【００１２】
また、波状部分は、折り線について非対称となるように形成することが好ましい。フェイスマスクを折り畳んだ状態で波状部分が重なることがなく、折り畳まれたフェイスマスクを波状部分の凸部を摘んで容易に拡げることができる。
【発明の効果】
【００１３】
この発明によれば、顔面に対する周縁部の密着性を向上させることができ、含浸された液体の美容効果を長時間にわたって十分に発揮させることができる。
【図面の簡単な説明】
【００１４】
【図１】この発明の第１の実施形態に係るフェイスマスクの平面図である。
【図２】（Ａ）及び（Ｂ）は、この発明の第２及び第３の実施形態に係るフェイスマスクの平面図である。
【図３】顔面に載置した際の同フェイスマスクの周縁部の状態を示す図である。
【図４】顔面に載置した際の同フェイスマスクに生じる剥がれの伝搬を説明する図である。
【図５】この発明の第４の実施形態に係るフェイスマスクの平面図である。
【図６】同第４の実施形態に係るフェイスマスクを折り畳んだ状態を示す平面図である。
【図７】この発明の第５の実施形態に係るフェイスマスクの平面図である。
【図８】（Ａ）〜（Ｃ）は、この発明の第６〜第８の実施形態に係るフェイスマスクの平面図である。
【発明を実施するための形態】
【００１５】
図１に示すように、この発明の実施形態に係るフェイスマスク１０は、紙、織布又は不織布等の可撓性及び含水性を有するシート体を、人体の顔面の全面を被覆できるように、所定の形状及び大きさに裁断して形成されている。フェイスマスク１０には、目部１１，１２、鼻部１３、口部１４、スリット１５，１６が形成されている。
【００１６】
一対の目部１１，１２は、顔面における左右一対の目に対応し、各々が一例として横長の楕円形状の切り抜き孔で構成されている。一対の目部１１，１２は、上側又は下側に凸となるＵ字状であって各々の外側が上方になるように約１５度傾斜した切込線で構成することもできる。
【００１７】
鼻部１３は、顔面の鼻翼及び鼻孔に対応し、一例として略Ｕ字状の切込線で構成されている。口部１４は、顔面の口に対応し、一例として横方向に長い楕円形状の切り抜き孔で構成されている。口部１４は、上下非対称の形状とすることもできる。スリット１５，１６は、顔面の頬部に対応する位置で、周縁から斜め上方に向かって形成されている。
【００１８】
フェイスマスク１０の周縁部には、一例として全周にわたって複数の波状部分１が形成されている。波状部分１は曲線で構成された凹凸形状を呈しており、凹部２と凸部３とを交互にして、一例として２０個の波状部分１が連続して形成されている。波状部分１の数は２０個に限るものではないが、凹部２及び凸部３の大きさを考慮すれば、３０個以下が適当である。フェイスマスク１０では、２０個の波状部分１が左右方向の中心位置を通る中心線１００を対称軸として左右対称に形成されている。
【００１９】
なお、波状部分１は、必ずしもフェイスマスク１０の周縁部の全周にわたって連続して形成する必要はなく、例えば図２（Ａ）及び（Ｂ）に示すフェイスマスク１１０及び２１０のように、周縁部の一部のみに、凹部２と凸部３とからなる波状部分１を形成することもできる。
【００２０】
一例として、図１に示すフェイスマスク１０では、中心を挟んで対向する２つの凹部２の位置での最小外径は２１７ｍｍであり、中心を挟んで対向する２つの凸部３の位置での最大外径は２３２ｍｍである。これらの中間の半径２２５ｍｍの円周上での凹部２及び凸部３の幅は、１７．６７ｍｍである。凹部２及び凸部３の寸法は、これに限るものではないが、凹部２及び凸部３の幅に対する半径方向の長さ（最大外径と中間の半径との差の１／２）の比率は、１／３〜１／１０が適当である。
【００２１】
フェイスマスク１０は、化粧水や美容液等の美容効果のある液体を含浸させた状態で、目部１１，１２、鼻部１３及び口部１４がそれぞれ両目、鼻及び口に対向するようにして、人体の顔面に載置される。
【００２２】
フェイスマスク１０を顔面に載置すると、３次元的な凹凸を有する顔面の周囲である顎や額に、フェイスマスク１０の周縁部が当接する。フェイスマスク１０の周縁の長さは、複数の波状部分１のそれぞれの凹部２及び凸部３によって長くなり、顔面に対する密着性が向上する。
【００２３】
また、図３に示すように、フェイスマスク１０の周縁部に形成された複数の波状部分１のそれぞれの凹部２及び凸部３が、顔面の周囲の凹凸に追従するように、互いに独立して移動する。これによって、フェイスマスク１０の周縁部を、全周にわたって顔面に確実に密着させることができる。
【００２４】
なお、フェイスマスク１０の周縁部は、スリット１５，１６で分離できるため、部分的に重ね合わせるか又は離間させることで顔面の周囲の長さに適合させることができる。また、複数の波状部分１によってフェイスマスク１０の周縁部を全周にわたって顔面に確実に密着させることができるため、スリット１５，１６の長さや数を最小限にすることができる。
【００２５】
また、一般的に、顔面は全体として鼻を中心として前方に凸となる２３次元曲面で構成されており、顔面に載置された平面状のフェイスマスク１０には周縁から中心に向かう張力が作用する。フェイスマスク１０に含浸された液体はフェイスマスク１０が顔面に載置された状態で経時的に蒸発し、フェイスマスク１０は液体の含浸量が徐々に減少する結果、膨潤状態から徐々に収縮する。このため、フェイスマスク１０に作用する張力が経時的に増加し、乾燥による密着性の低下と相まって、フェイスマスク１０の周縁部が顔面の周囲から剥がれ易くなる。
【００２６】
図４に示すように、フェイスマスク１０の周縁部は複数の波状部分１で構成されているため、一部の凹部２又は凸部３に生じた剥がれは隣接する凸部３又は凹部２に伝播し難く、フェイスマスク１０の周縁部の全体に剥がれが波及し難い。これによって、フェイスマスク１０の広い範囲を長時間にわたって顔面に密着させておくことができ、フェイスマスク１０が含浸している液体の美容効果を顔面に十分に発揮させることができる。
【００２７】
なお、フェイスマスク１０の周縁部に複数の波状部分１を形成することで、液体を含浸したフェイスマスク１０が丸まり難くなり、顔面に載置し易くなる。
【００２８】
図５に示すフェイスマスク３１０のように、２０個の波状部分１は、左右方向の中心位置を通る中心線４００に対して、非対称となる位置に形成することもできる。一例として、フェイスマスク３１０では、２０個の波状部分１が図１に示したフェイスマスク１０における形成位置から、図５中で反時計方向に９度回転させた位置に形成されている。
【００２９】
図６に示すように、フェイスマスク３１０を左右の目部１１，１２が重なるように、中心線４００を折り線として２つに折り畳んだ際に、中心線４００を挟んで左右の波状部分１が互いに重なることがない。このため、近接する２つの凸部３のそれぞれを左右の手指のそれぞれで摘んで引き離すことで、液体を含浸した状態で折り畳まれたフェイスマスク３１０を容易に開くことができる。
【００３０】
図７に示すように、顔面における左右の顎から頬に対向する頬部４１２及び４１３を、本体４１１の下方に切込線４１４を挟んで連続して形成したリフトアップ用のフェイスマスク４１０の周囲にも、凹部２及び凸部３からなる波状部分１を複数形成することができる。この場合に、頬部４１２及び４１３の周囲において顔面に載置した際に、本体４１１の上側に重ねられる部分４１２Ａ及び４１３Ａには、波状部分１を省略してもよい。
【００３１】
図８（Ａ）〜（Ｃ）に示すように、うなじ用マスク５１０、唇用マスク６１０、ほうれい線用マスク７１０のそれぞれの周囲にも同様に、凹部２及び凸部３からなる波状部分１を複数形成することができる。
【００３２】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００３３】
１−波状部分
２−凹部
３−凸部
１０−フェイスマスク
１１，１２−目部
１３−鼻孔部
１４−口部
１５，１６−スリット
【図１】
2015156996.tif 000003
【図２】
2015156996.tif 000004
【図３】
2015156996.tif 000005
【図４】
2015156996.tif 000006
【図５】
2015156996.tif 000007
【図６】
2015156996.tif 000008
【図７】
2015156996.tif 000009
【図８】
2015156996.tif 000010